(57)【要約】【課題】第１コアと第２コアとを、その隅部でボルトを用いることなく、連結できる熱交換器の提供。【解決手段】第１コア５の第１サポート板３に係止板７を設け、その係止板７に方形口８を形成する。そして第２コア６の第２サポート板４の隅部に係止爪９を切り起こし形成すると共に、係止爪９の近傍に互いに離間して第１凸部10と第２凸部11を設ける。そして係止爪９を方形口８の上縁に嵌着すると共に、係止板７の側縁を第１凸部10に止着し、方形口８の下縁を第２凸部11に止着する。【選択図】        図４
2004205125.tif 000002
【特許請求の範囲】
【請求項１】
夫々多数のフィン(1) およびチューブ(2) が並列されると共に、側端に第１サポート板(3) および第２サポート板(4) が配置されて、互いに独立した一対の第１コア(5) および第２コア(6) と、
前記第１コア(5) の第１サポート板(3) の隅部に係止板(7) を有し、その係止板(7) に開口された方形口(8) と、
前記第２コア(6) の第２サポート板(4) の隅部に外面側に切り起こし形成された係止爪(9) およびその係止爪(9) の近傍に互いに離間して外面側に突設形成された第１凸部(10)と第２凸部(11)とを具備し、
第２サポート板(4) の前記係止爪(9) が前記第１サポート板(3) の前記方形口(8) の上縁に嵌着すると共に、その嵌着状態で係止板(7) の側縁が前記第１凸部(10)に止着され且つ、前記方形口(8) の下縁が前記第２凸部(11)に止着された空調用室内側熱交換器。
【請求項２】
請求項１において、
前記第１コア(5) の第１サポート板(3) と、第２コア(6) の第２サポート板(4) とが平面くの字状に接続された空調用室内側熱交換器。
【請求項３】
請求項１または請求項２において、
さらに第３コア(6a)が、第２コア(6) の隅部に平面くの字状に接続され、その接続部が第１コア(5) と第２コア(6) 同様に形成された空調用室内側熱交換器。
【発明の詳細な説明】
【０００１】
【発明の属する技術分野】
本発明は、主として家庭用に使用されるコンパクトな空調用熱交換器であって、その室内側に配置されるものに関する。
【０００２】
【従来の技術】
室内の取付けスペースを小さくするため２つのコアを、その端部間で連結し、全体の横断面がくの字状に形成された空調用室内側熱交換器が知られている。このような熱交換器は第１コアと第２コアとを有し、そのコアどうしが端部でボルト等の締結具により締結固定されていた。
【０００３】
【発明が解決しようとする課題】
２つのコアをその端部どうしで連結して全体として曲げコアを形成するためには、複数の締結部品を用いてボルトの締め付け作業を必要としていた。そのため、その組み付けが面倒で生産性が悪くなる欠点があった。
そこで本発明は、殆どワンタッチで締結部品なしで２つのコア間を連結することができるものを提供することを課題とする。
【０００４】
【課題を解決するための手段】
請求項１に記載の本発明は、夫々多数のフィン(1) およびチューブ(2) が並列されると共に、側端に第１サポート板(3) および第２サポート板(4) が配置されて、互いに独立した一対の第１コア(5) および第２コア(6) と、
前記第１コア(5) の第１サポート板(3) の隅部に係止板(7) を有し、その係止板(7) に開口された方形口(8) と、
前記第２コア(6) の第２サポート板(4) の隅部に外面側に切り起こし形成された係止爪(9) およびその係止爪(9) の近傍に互いに離間して外面側に突設形成された第１凸部(10)と第２凸部(11)とを具備し、
第２サポート板(4) の前記係止爪(9) が前記第１サポート板(3) の前記方形口(8) の上縁に嵌着すると共に、その嵌着状態で係止板(7) の側縁が前記第１凸部(10)に止着され且つ、前記方形口(8) の下縁が前記第２凸部(11)に止着された空調用室内側熱交換器である。
【０００５】
請求項２に記載の本発明は、請求項１において、
前記第１コア(5) の第１サポート板(3) と、第２コア(6) の第２サポート板(4) とが平面くの字状に接続された空調用室内側熱交換器である。
請求項３に記載の発明は、請求項１または請求項２において、
さらに第３コア(6a)が、第２コア(6) の隅部に平面くの字状に接続され、その接続部が第１コア(5) と第２コア(6) 同様に形成された空調用室内側熱交換器である。
【０００６】
【発明の実施の形態】
次に、図面に基づいて本発明の実施の形態につき説明する。
図１は本発明の空調用室内側熱交換器の分解説明図であり、図２は図１のII部拡大図、図３は図１の III部拡大図である。
この熱交換器は、一対の第１コア５，第２コア６を有する。夫々のコアは、図５の如く、多数のプレート型のフィン１が小隙を有して並列され、夫々のフィン１にチューブ２が挿通され、その挿通部が接触固定されている。そして各チューブ２の端部間は互いに連結され、全体として蛇行状の冷媒流路を形成する。
【０００７】
図１〜図３に示す如く、第１コア５の両側には一対の第１サポート板３が配置され、第２コア６の両側には一対の第２サポート板４が配置されている。この例では、第１サポート板３，第２サポート板４の幅は、夫々のプレートフィンの幅より大きく形成され、その幅方向に突出した部分で二つのコア５，６が互いに接続される。  第１サポート板３の下端隅部には、係止板７が突設固定されている。この係止板７は、第１サポート板３の一部をその外面側に板厚程度膨出させることにより形成できる。或いは、その部分に別の板材を重ねて固定することもできる。係止板７は、第１サポート板３の中心線に対してこの例では４５°の傾きに形成されているが、その角度は適宜設計条件に合わせて決めることができる。そしてその係止板７には方形口８が穿設されている。
【０００８】
次に、第２サポート板４はその上隅に係止爪９が切り起こし形成されている。即ち、図３に示す如く、係止爪９が第２サポート板４の板厚の２倍分程外方に折り曲げられ、その平面は第２サポート板４と平行に形成されている。さらに係止爪９の一側外面には第１凸部10が、係止爪９の下方には第２凸部11が夫々突設されている。
【０００９】
このようにしてなる第１サポート板３，第２サポート板４は、図４〜図６の如く組立てられる。
即ち、第２サポート板４の係止爪９を係止板７の方形口８に４５°傾いた方向から嵌着し且つ、係止板７の側縁を第１凸部10に止着すると共に、方形口８の下端縁を第２凸部11に止着すればよい。
このようにすることにより、第１サポート板３と第２サポート板４とはその平面方向に位置決めされ且つ、その平面の垂直方向にも位置決めされる。
【００１０】
次に、図８は本発明の他の実施の形態を示す側面図である。この例は、図４に加えて、さらに第３コア６ａが、第２コア６の隅部に平面くの字状に接続され、その接続部が第１コア５と第２コア６同様に形成されたものである。そのために、第２コア６の第２サポート板４の隅部に、第１サポート板３と同様の係止板７が突設され、第３コア６ａの第３サポート板４ａに第２サポート板４と同様の係止爪９、第１凸部10、第２凸部11が形成されたものである。
【００１１】
【変形例】
なお、第１サポート板および第２サポート板は、夫々第１コアおよび第２コアの一方の側端のみに存在し、他方の側端には存在しない場合もある。この場合には、サポート板の存在する側を図４、図７の如く接続し、サポート板の存在しない側は、その側端に整合する図示しないプラスチック形成体で連結することができる。
【００１２】
【発明の作用・効果】
本発明の熱交換器は、第１コア５と第２コア６とを夫々の第１サポート板３，第２サポート板４においてボルト等の締結部品なしに結合することができる。即ち、第２サポート板４の係止爪９を第１サポート板３の方形口８に嵌着した状態で、係止板７の縁部が第１凸部10に止着されると共に、方形口８の下縁が第２凸部11に止着されるので、ボルト等の締結具なしで両者間を位置決め係止することができる。そのため生産性の高い熱交換器となり得る。
【図面の簡単な説明】
【図１】本発明の空調用室内側熱交換器の分解説明図。
【図２】図１のII部拡大図。
【図３】図１の III部拡大図。
【図４】同熱交換器の組立て状態を示す側面図。
【図５】同正面図。
【図６】図５のＶＩ部拡大図
【図７】図４の要部拡大斜視図。
【図８】本発明の他の熱交換器の組立て状態を示す側面図。
【符号の説明】
１  フィン
２  チューブ
３  第１サポート板
４  第２サポート板
４ａ  第３サポート板
５  第１コア
６  第２コア
６ａ  第３コア
７  係止板
８  方形口
９  係止爪
10  第１凸部
11  第２凸部
12  ファン
13  冷媒
【図１】
2004205125.tif 000003
【図２】
2004205125.tif 000004
【図３】
2004205125.tif 000005
【図４】
2004205125.tif 000006
【図５】
2004205125.tif 000007
【図６】
2004205125.tif 000008
【図７】
2004205125.tif 000009
【図８】
2004205125.tif 000010